(57)【要約】【課題】容易にドキュメントを生成することのできるドキュメント作成装置を得る。【解決手段】映像信号出力手段１０３はビデオカメラ２００で取得された映像の映像信号を出力する。静止画取得手段１０５は、映像信号出力手段１０３から出力された映像から静止画像を取得する。ドキュメント作成手段１０７は、ドキュメントの雛形であるテンプレート１０６に対して静止画取得手段１０５が取得した静止画像をはめ込んでドキュメントを生成し、ドキュメント出力手段１０９は、ドキュメント作成装置１００の外部にドキュメント５００を出力する。【選択図】図１
2015026258.tif 000002
【特許請求の範囲】
【請求項１】
動画像から静止画像を取得する静止画取得手段と、
前記静止画取得手段で取得する静止画像を指定する操作入力制御手段と、
ドキュメントの雛形であるテンプレートと、
前記テンプレートに対して、前記静止画取得手段が取得した静止画像をはめ込んで前記ドキュメントを生成するドキュメント作成手段とを備えたドキュメント作成装置。
【請求項２】
音声を含む動画像から、前記音声を抽出して当該音声が予め定めた設定値の音量レベル以上であった場合に音声検知信号を出力する音声検知手段と、
前記音声検知信号が出力された場合に前記動画像から静止画像を取得する静止画取得手段と、
ドキュメントの雛形であるテンプレートと、
前記テンプレートに対して、前記静止画取得手段が取得した静止画像をはめ込んで前記ドキュメントを生成するドキュメント作成手段とを備えたドキュメント作成装置。
【請求項３】
動画像に対して予め定めた画像パターンを検出した場合に画像検知信号を出力する画像処理手段と、
前記画像検知信号が出力された場合に、前記動画像の映像信号から静止画像を取得する静止画取得手段と、
ドキュメントの雛形であるテンプレートと、
前記テンプレートに対して、前記静止画取得手段が取得した静止画像をはめ込んで前記ドキュメントを生成するドキュメント作成手段とを備えたドキュメント作成装置。
【請求項４】
入力される音声に対応したテキストを出力する音声認識手段を備え、
前記ドキュメント作成手段は、前記テキストを前記テンプレートにはめ込んで前記ドキュメントを生成することを特徴とする請求項１から請求項３のうちのいずれか１項記載のドキュメント作成装置。
【請求項５】
動画像がＭＰＥＧに準拠したものであり、静止画像がＪＰＥＧに準拠したものであることを特徴とする請求項１から請求項４のうちのいずれか１項記載のドキュメント作成装置。
【請求項６】
生成する前記ドキュメントがＨＴＭＬ形式に準拠したものであることを特徴とする請求項１から請求項５のうちのいずれか１項記載のドキュメント作成装置。
【請求項７】
生成する前記ドキュメントがＰＤＦ形式に準拠したものであることを特徴とする請求項１から請求項５のうちのいずれか１項記載のドキュメント作成装置。
【発明の詳細な説明】
【技術分野】
【０００１】
本発明は、動画像から静止画像を抽出してテンプレートに対してはめ込むことでドキュメントを作成するドキュメント作成装置に関する。
【背景技術】
【０００２】
従来、ドキュメント作成装置としては、文書データを要素に分解し、分解した要素に対応するキーワードに基づいてハイパーメディア部品をデータベースから検索して対応する要素にリンクさせるようにしたものがあった（例えば、特許文献１参照）。
このようなドキュメント作成装置は、種々のマルチメディア部品をデータベース中に備え、これらのマルチメディア部品の中から部品検索を行って文書データの要素にリンクさせてドキュメントを作成するようにしたものである。
【先行技術文献】
【特許文献】
【０００３】
【特許文献１】特開平９−３４７７５号公報
【発明の概要】
【発明が解決しようとする課題】
【０００４】
しかしながら、従来のドキュメント作成装置は、マルチメディア部品とテキストを組み合わせてドキュメントを生成することができるが、大容量のデータベースに、映像、静止画等の様々な形式のマルチメディア部品を保存しなければならない上、必要な映像、静止画を大容量のデータベース内から探し出さなければならず、そのため、ドキュメントの作成に大量のデータや労力が必要であるという課題があった。
【０００５】
この発明は、上記のような課題を解決するためになされたもので、ドキュメントの生成に際して静止画像が必要となる場合であっても容易にドキュメントを生成することのできるドキュメント作成装置を得ることを目的とする。
【課題を解決するための手段】
【０００６】
この発明に係るドキュメント作成装置は、動画像から静止画像を取得する静止画取得手段と、静止画取得手段で取得する静止画像を指定する操作入力制御手段と、ドキュメントの雛形であるテンプレートと、テンプレートに対して、静止画取得手段が取得した静止画像をはめ込んでドキュメントを生成するドキュメント作成手段とを備えたものである。
【発明の効果】
【０００７】
この発明のドキュメント作成装置は、動画像の中から静止画像を取得し、この静止画像を予め用意したテンプレートにはめ込んでドキュメントを作成するようにしたので、ドキュメントの作成を容易に行うことができる。
【図面の簡単な説明】
【０００８】
【図１】この発明の実施の形態１によるドキュメント作成装置を示す構成図である。
【図２】この発明の実施の形態２によるドキュメント作成装置を示す構成図である。
【図３】この発明の実施の形態３によるドキュメント作成装置を示す構成図である。
【図４】この発明の実施の形態４によるドキュメント作成装置を示す構成図である。
【図５】この発明の実施の形態５によるドキュメント作成装置を示す構成図である。
【図６】この発明の実施の形態６によるドキュメント作成装置を示す構成図である。
【図７】この発明の実施の形態１から実施の形態６のドキュメント作成装置によるドキュメントの作成を示す説明図である。
【発明を実施するための形態】
【０００９】
実施の形態１．
図１は、この発明の実施の形態１によるドキュメント作成装置を示す構成図である。
図１に示すドキュメント作成装置１００は、ビデオデータ入力手段１０１、映像再生手段１０２、映像信号出力手段１０３、映像再生制御手段１０４、静止画取得手段１０５、テンプレート１０６、ドキュメント作成手段１０７、操作入力制御手段１０８、ドキュメント出力手段１０９を備えている。
【００１０】
ビデオデータ入力手段１０１は、操作入力制御手段１０８からの操作入力に基づき、作業手順書といった、ドキュメントを作成すべき作業シーンを撮影するためのビデオカメラ２００から映像と音声からなるビデオデータを取り込む手段である。映像再生手段１０２は、ビデオデータ入力手段１０１が入力したビデオデータから映像を抽出し、任意のフレームレートで再生する手段である。映像信号出力手段１０３は、映像再生手段１０２が再生する映像から映像信号を生成してモニタ３００と静止画取得手段１０５とに出力する手段である。映像再生制御手段１０４は、操作入力制御手段１０８からの操作入力に基づき、映像再生手段１０２による映像の再生に際して、早送り／巻き戻しといった制御を行う手段である。静止画取得手段１０５は、操作入力制御手段１０８からの操作入力に基づき、映像信号出力手段１０３が出力する映像信号から静止画像を抽出する手段である。
【００１１】
テンプレート１０６は、ドキュメント作成装置１００から出力するドキュメント５００の雛形となるデータであり、例えば図７に示すように、テキスト領域（タイトル）やテキスト領域（作業シーンの説明）といったテキストをはめ込む領域と静止画領域（作業シーン）といったように画像をはめ込む領域とをドキュメントの雛形として備えている。ドキュメント作成手段１０７は、操作入力制御手段１０８からの操作入力に基づいて、テンプレート１０６に対して静止画取得手段１０５が出力する静止画をはめ込み、はめ込み映像とテキストからなるドキュメントを生成する手段である。操作入力制御手段１０８は、ドキュメント作成装置１００に接続されるキーボードやマウスといった入力装置４００からの操作入力を受け付け、これをビデオデータ入力手段１０１、映像再生制御手段１０４、静止画取得手段１０５およびドキュメント作成手段１０７に出力する手段である。ドキュメント出力手段１０９は、ドキュメント作成手段１０７が作成したドキュメントをドキュメント作成装置１００の外部にドキュメント５００として出力する手段である。
【００１２】
なお、ドキュメント作成装置１００はコンピュータを用いて実現され、ビデオデータ入力手段１０１〜静止画取得手段１０５、ドキュメント作成手段１０７〜ドキュメント出力手段１０９は、それぞれの手段に対応したソフトウェアとこれを実行するためのＣＰＵやメモリといったハードウェアから構成されている。あるいは、これら手段のうち少なくともいずれかを専用のハードウェアで構成してもよい。
【００１３】
次に、実施の形態１のドキュメント作成装置の動作について説明する。
ビデオデータ入力手段１０１は、ユーザが入力装置４００を操作することで操作入力制御手段１０８が出力した操作信号に拠りビデオカメラ２００から映像と音声からなるビデオデータを取り込み、映像再生手段１０２に出力する。映像再生手段１０２は、ビデオデータから映像を抽出し、任意のフレームレートで映像を映像信号出力手段１０３に出力する。なお、映像再生制御手段１０４は、ユーザが入力装置４００を操作することで操作入力制御手段１０８が出力した操作信号に拠り映像再生手段１０２における映像のフレームレート変更と早送り／巻き戻し等の制御を行う。
【００１４】
映像信号出力手段１０３は、映像再生手段１０２が再生する映像から映像信号を生成してモニタ３００と静止画取得手段１０５に出力する。静止画取得手段１０５は、ユーザが入力装置４００を操作することで操作入力制御手段１０８が出力した操作信号に拠り映像信号から静止画像を生成してドキュメント作成手段１０７に出力する。ここで、映像信号出力手段１０３から出力され静止画取得手段１０５に入力される映像信号は、例えばＭＰＥＧに準拠した信号であり、静止画取得手段１０５が出力する静止画像は例えばＪＰＥＧに準拠したデータである。ドキュメント作成手段１０７は、ユーザが入力装置４００を操作することで、操作入力制御手段１０８が出力した操作信号に拠りテキストを生成し、図７に示すようにテンプレート１０６にテキストと映像をはめ込んでドキュメント５００を生成する。そして生成されたドキュメント５００は、ドキュメント出力手段１０９を介してドキュメント作成装置１００の外部に出力される。ここで、生成されるドキュメント５００としては、例えばＨＴＭＬ方式に準拠したものであるが、これ以外にもＰＤＦ形式に準拠したものであってもよい。
【００１５】
以上説明したように、実施の形態１のドキュメント作成装置によれば、動画像から静止画像を取得する静止画取得手段と、静止画取得手段で取得する静止画像を指定する操作入力制御手段と、ドキュメントの雛形であるテンプレートと、テンプレートに対して、静止画取得手段が取得した静止画像をはめ込んでドキュメントを生成するドキュメント作成手段とを備えたので、様々な形式の映像や静止画を保存するデータベースを必要とせず、また、ユーザが静止画をデータベースから探し出す必要が無くなるため、従来よりも短時間で容易にドキュメントを生成することが出来る。
【００１６】
また、実施の形態１のドキュメント作成装置によれば、映像がＭＰＥＧに準拠したものであり、静止画像がＪＰＥＧに準拠したものであるようにしたので、汎用的なデータ形式であるため、一般的な画像処理を用いることが出来る。
【００１７】
また、実施の形態１のドキュメント作成装置によれば、生成するドキュメントがＨＴＭＬ形式に準拠したものであるようにしたので、汎用性の高いドキュメントを得ることができる。
【００１８】
また、実施の形態１のドキュメント作成装置によれば、生成するドキュメントがＰＤＦ形式に準拠したものであるようにしたので、汎用性の高いドキュメントを得ることができる。
【００１９】
実施の形態２．
図２は、実施の形態２のドキュメント作成装置を示す構成図である。
実施の形態２のドキュメント作成装置１００ａは、ビデオデータ入力手段１０１、映像再生手段１０２、映像信号出力手段１０３、静止画取得手段１０５、テンプレート１０６、ドキュメント作成手段１０７、操作入力制御手段１０８、ドキュメント出力手段１０９、音声検知手段１１０を備えている。すなわち、実施の形態２のドキュメント作成装置１００ａは、実施の形態１のドキュメント作成装置１００から映像再生制御手段１０４を取り除き、音声を含む動画像から、音声を抽出してその音声が予め定めた設定値の音量レベル以上であった場合に音声検知信号を出力する音声検知手段１１０を備え、静止画取得手段１０５ａが、この音声検知手段１１０の音声検知信号の出力に基づいて静止画を取得するようにしたことを特徴としている。これ以外は実施の形態１のドキュメント作成装置と同様であるため、ここでの説明は省略する。
【００２０】
次に、実施の形態２のドキュメント作成装置の動作を説明する。
ビデオデータ入力手段１０１は、ユーザが入力装置４００を操作することで操作入力制御手段１０８が出力した操作信号に拠りビデオカメラ２００から映像と音声からなるビデオデータを取り込み、映像再生手段１０２と音声検知手段１１０に出力する。映像再生手段１０２は、ビデオデータから映像を抽出し任意のフレームレートで映像を映像信号出力手段１０３に出力する。映像信号出力手段１０３は、映像再生手段１０２が出力する映像から映像信号を生成してモニタ３００と静止画取得手段１０５ａに出力する。
【００２１】
音声検知手段１１０は、ビデオデータ入力手段１０１に入力されたビデオデータから音声を抽出してその音声が一定の音量レベルのとき静止画取得手段１０５ａに静止画像の生成を指示するための音声検知信号を出力する。静止画取得手段１０５ａは、音声検知手段１１０の音声検知信号に拠り映像信号から静止画像を生成してドキュメント作成手段１０７に出力する。
【００２２】
ドキュメント作成手段１０７は、ユーザが入力装置４００を操作することで操作入力制御手段１０８が出力した操作信号に拠りテキストを生成し、図７に示すようにテンプレート１０６にテキストと映像をはめ込んでドキュメント５００を生成する。そしてドキュメント５００は、ドキュメント出力手段１０９を介してドキュメント作成装置１００ａの外部に出力される。
【００２３】
以上説明したように、実施の形態２のドキュメント作成装置によれば、音声を含む動画像から、音声を抽出して音声が予め定めた設定値の音量レベル以上であった場合に音声検知信号を出力する音声検知手段と、音声検知信号が出力された場合に動画像から静止画像を取得する静止画取得手段と、ドキュメントの雛形であるテンプレートと、テンプレートに対して、静止画取得手段が取得した静止画像をはめ込んでドキュメントを生成するドキュメント作成手段とを備えたので、映像から一定の音量レベルに同期した静止画像を自動的に取得出来るため、例えば、大きな掛け声や声に拠る合図を伴う重要な作業の静止画をデータベースから探し出す必要が無くなり、実施の形態１よりも短時間でドキュメントを生成することが出来る。
【００２４】
実施の形態３．
図３は、実施の形態３のドキュメント作成装置を示す構成図である。
実施の形態３のドキュメント作成装置１００ｂは、実施の形態２の音声検知手段１１０の代わりに、ビデオデータから映像を抽出して画像処理を行い任意の画像パターンを得たとき静止画取得手段１０５ｂに静止画像の生成を指示するための画像検知信号を出力する画像処理手段１１１を設け、静止画取得手段１０５ｂは、画像検知信号が出力された場合に静止画を取得するよう構成したものである。それ以外の構成は実施の形態２と同様であるためここでの説明は省略する。
【００２５】
次に、実施の形態３のドキュメント作成装置１００ｂの動作を説明する。
ビデオデータ入力手段１０１は、ユーザが入力装置４００を操作することで操作入力制御手段１０８が出力した操作信号に拠りビデオカメラ２００から映像と音声からなるビデオデータを取り込み、映像再生手段１０２と画像処理手段１１１に出力する。映像再生手段１０２は、ビデオデータから映像を抽出し任意のフレームレートで映像を映像信号出力手段１０３に出力する。映像信号出力手段１０３は、映像から映像信号を生成してモニタ３００と静止画取得手段１０５ｂに出力する。
【００２６】
画像処理手段１１１は、ビデオデータ入力手段１０１に入力されたビデオデータから映像を抽出して画像処理を行い任意の画像パターンを得たとき静止画取得手段１０５ｂに画像検知信号を出力する。静止画取得手段１０５ｂは、画像処理手段１１１の画像検知信号に拠り映像信号から静止画像を生成してドキュメント作成手段１０７に出力する。
【００２７】
ドキュメント作成手段１０７は、ユーザが入力装置４００を操作することで操作入力制御手段１０８が出力した操作信号に拠りテキストを生成し、図７に示すようにテンプレート１０６にテキストと映像をはめ込んでドキュメント５００を生成する。そして生成されたドキュメント５００は、ドキュメント出力手段１０９を介してドキュメント作成装置１００ｂの外部に出力される。
【００２８】
以上説明したように、実施の形態３のドキュメント作成装置によれば、動画像に対して予め定めた画像パターンを検出した場合に画像検知信号を出力する画像処理手段と、画像検知信号が出力された場合に、動画像の映像信号から静止画像を取得する静止画取得手段と、ドキュメントの雛形であるテンプレートと、テンプレートに対して、静止画取得手段が取得した静止画像をはめ込んでドキュメントを生成するドキュメント作成手段とを備えたので、画像パターンの静止画像を自動的に取得出来るため、例えば、繰り返し実行される同じ作業、場所を移動した後の作業、作業対象を変更したときの静止画等をデータベースから探し出す必要が無くなり、実施の形態１よりも短時間でドキュメントを生成することが出来る。
【００２９】
実施の形態４．
図４は、実施の形態４のドキュメント作成装置を示す構成図である。
実施の形態４のドキュメント作成装置１００ｃは、実施の形態１のドキュメント作成装置１００において、マイク６００で入力したユーザの音声からテキストを生成する音声認識手段１１２を備え、ドキュメント作成手段１０７ａは、音声認識手段１１２が生成したテキストをテンプレート１０６にはめ込んでドキュメント５００を生成するよう構成されている。これ以外の構成は実施の形態１と同様であるため、対応する部分に図１と同一符号を付してその説明を省略する。
【００３０】
次に、実施の形態４のドキュメント作成装置の動作を説明する。
ビデオデータ入力手段１０１は、ユーザが入力装置４００を操作することで操作入力制御手段１０８が出力した操作信号に拠りビデオカメラ２００から映像と音声からなるビデオデータを取り込み映像再生手段１０２に出力する。映像再生手段１０２は、ビデオデータから映像を抽出し任意のフレームレートで映像を映像信号出力手段１０３に出力する。なお、映像再生制御手段１０４は、ユーザが入力装置４００を操作することで操作入力制御手段１０８が出力した操作信号に拠り映像再生手段１０２における映像のフレームレート変更と早送り／巻き戻し等の制御を行う。
【００３１】
映像信号出力手段１０３は、映像から映像信号を生成してモニタ３００と静止画取得手段１０５に出力する。静止画取得手段１０５は、ユーザが入力装置４００を操作することで操作入力制御手段１０８が出力した操作信号に拠り映像信号から静止画像を生成してドキュメント作成手段１０７ａに出力する。
【００３２】
音声認識手段１１２は、マイク６００で入力されたユーザの音声からテキストを生成してドキュメント作成手段１０７ａに出力する。ドキュメント作成手段１０７ａは、図７に示すようにテンプレート１０６にテキストと映像をはめ込んでドキュメント５００を生成する。そして生成したドキュメント５００は、ドキュメント出力手段１０９を介してドキュメント作成装置１００ｃの外部に出力される。
【００３３】
以上説明したように、実施の形態４のドキュメント作成装置によれば、入力される音声に対応したテキストを出力する音声認識手段を備え、ドキュメント作成手段は、テキストをテンプレートにはめ込んでドキュメントを生成するようにしたので、ユーザがキーボード／マウスの操作でテキストを入力する必要がなく、実施の形態１よりも短時間でドキュメントを生成することが出来る。
【００３４】
実施の形態５．
図５は、実施の形態５のドキュメント作成装置を示す構成図である。
実施の形態５のドキュメント作成装置１００ｄは、実施の形態２のドキュメント作成装置１００ａにおいて、マイク６００で入力したユーザの音声からテキストを生成する音声認識手段１１２を備え、ドキュメント作成手段１０７ａは、音声認識手段１１２が生成したテキストをテンプレート１０６にはめ込んでドキュメント５００を生成するよう構成されている。これ以外の構成は実施の形態２と同様であるため、対応する部分に図２と同一符号を付してその説明を省略する。
【００３５】
次に、実施の形態５のドキュメント作成装置の動作を説明する。
ビデオデータ入力手段１０１は、ユーザが入力装置４００を操作することで操作入力制御手段１０８が出力した操作信号に拠りビデオカメラ２００から映像と音声からなるビデオデータを取り込み映像再生手段１０２と音声検知手段１１０に出力する。映像再生手段１０２は、ビデオデータから映像を抽出し任意のフレームレートで映像を映像信号出力手段１０３に出力する。映像信号出力手段１０３は、映像から映像信号を生成してモニタ３００と静止画取得手段１０５ａに出力する。
【００３６】
音声検知手段１１０は、ビデオデータから音声を抽出してその音声が一定の音量レベルのとき、静止画取得手段１０５ａに静止画像の生成を指示するための音声検知信号を出力する。静止画取得手段１０５ａは、音声検知手段１１０の操作信号に拠り映像信号から静止画像を生成してドキュメント作成手段１０７ａに出力する。ドキュメント作成手段１０７ａは、図７に示すようにテンプレート１０６にテキストと映像をはめ込んでドキュメント５００を生成する。そして、生成したドキュメント５００は、ドキュメント出力手段１０９を介してドキュメント作成装置１００ｄの外部に出力される。
【００３７】
以上説明したように、実施の形態５のドキュメント作成装置によれば、入力される音声に対応したテキストを出力する音声認識手段を備え、ドキュメント作成手段は、テキストをテンプレートにはめ込んでドキュメントを生成するようにしたので、ユーザがキーボード／マウスの操作でテキストを入力する必要がなく、実施の形態２よりも短時間でドキュメントを生成することが出来る。
【００３８】
実施の形態６．
図６は、実施の形態６のドキュメント作成装置を示す構成図である。
実施の形態６のドキュメント作成装置１００ｅは、実施の形態３のドキュメント作成装置１００ｂにおいて、マイク６００で入力したユーザの音声からテキストを生成する音声認識手段１１２を備え、ドキュメント作成手段１０７ａは、音声認識手段１１２が生成したテキストをテンプレート１０６にはめ込んでドキュメント５００を生成するよう構成されている。これ以外の構成は実施の形態３と同様であるため、対応する部分に図３と同一符号を付してその説明を省略する。
【００３９】
次に、実施の形態６のドキュメント作成装置の動作について説明する。
ビデオデータ入力手段１０１は、ユーザが入力装置４００を操作することで操作入力制御手段１０８が出力した操作信号に拠りビデオカメラ２００から映像と音声からなるビデオデータを取り込み映像再生手段１０２と画像処理手段１１１に出力する。映像再生手段１０２は、ビデオデータから映像を抽出し任意のフレームレートで映像を映像信号出力手段１０３に出力する。映像信号出力手段１０３は、映像から映像信号を生成してモニタ３００と静止画取得手段１０５ｂに出力する。
【００４０】
画像処理手段１１１は、ビデオデータから映像を抽出して画像処理を行い任意の画像パターンを得たとき、静止画取得手段１０５ｂに対して静止画像の生成を指示するための画像検知信号を出力する。静止画取得手段１０５ｂは、画像処理手段１１１の操作信号に拠り映像信号から静止画像を生成してドキュメント作成手段１０７ａに出力する。ドキュメント作成手段１０７ａは、図７に示すようにテンプレート１０６にテキストと映像をはめ込んでドキュメント５００を生成する。そして、生成したドキュメント５００はドキュメント出力手段１０９を介してドキュメント作成装置１００ｅの外部に出力される。
【００４１】
以上説明したように、実施の形態６のドキュメント作成装置によれば、入力される音声に対応したテキストを出力する音声認識手段を備え、ドキュメント作成手段は、テキストをテンプレートにはめ込んでドキュメントを生成するようにしたので、ユーザがキーボード／マウスの操作でテキストを入力する必要がなく、実施の形態３よりも短時間でドキュメントを生成することが出来る。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１００，１００ａ〜１００ｅ  ドキュメント作成装置、１０１  ビデオデータ入力手段、１０２  映像再生手段、１０３  映像信号出力手段、１０４  映像再生制御手段、１０５，１０５ａ  静止画取得手段、１０６  テンプレート、１０７，１０７ａ  ドキュメント作成手段、１０８  操作入力制御手段、１０９  ドキュメント出力手段、１１０  音声検知手段、１１１  画像処理手段、１１２  音声認識手段、２００  ビデオカメラ、３００  モニタ、４００  入力装置、５００  ドキュメント、６００  マイク。
【図１】
2015026258.tif 000003
【図２】
2015026258.tif 000004
【図３】
2015026258.tif 000005
【図４】
2015026258.tif 000006
【図５】
2015026258.tif 000007
【図６】
2015026258.tif 000008
【図７】
2015026258.tif 000009